(57)【要約】      （修正有）【課題】使用勝手の良いＡサイズに対し、各種の趣向を加えて審美性や機能性を付加させるものとなしたデジタル加工写真アルバムの提供。【解決手段】Ａ４サイズを縦長方向へ開放させる台紙帳４であって、該台紙帳を開放したさいの１頁若しくは隣接する頁の何れか１つの片端を横巾方向へ一定長さ寸法延展した張り出し片７に作成し、該台紙の頁内へ或いは隣接する台紙の頁内へ上記張り出し片７を折り込ませることにより、１つの頁で片開き或いは観音開き及び又は隣接する頁間で片開き或いは観音開きとなる構成を台紙帳４の全体内で適宜混在させるものとなし、且つ各頁及び上記張り出し片にラミネート加工処理を施した。【選択図】図７
0003103900.tif 000002
【実用新案登録請求の範囲】
【請求項１】
Ａ４サイズを縦長方向へ開放させる台紙帳であって、該台紙帳を開放したさいの１頁若しくは隣接する頁の何れか１つの片端を横巾方向へ一定長さ寸法延展した張り出し片に作成し、該台紙の頁内へ或いは隣接する台紙の頁内へ上記張り出し片を折り込ませることにより、１つの頁で片開き或いは観音開き及び又は隣接する頁間で片開き或いは観音開きとなる構成を台紙帳の全体内で適宜混在させるものとなし、且つ各頁及び上記張り出し片にラミネート加工処理を施したデジタル加工写真を貼り付けてあることを特徴とするデジタル加工写真アルバム。
【請求項２】
張り出し片の寸法は、７ｃｍ〜２０ｃｍとなしたことを特徴とする請求項１記載のデジタル加工写真アルバム。
【考案の詳細な説明】
【技術分野】
【０００１】
本考案は、デジタル加工写真アルバムに関するものである。
【背景技術】
【０００２】
従来より、結婚式などの記念写真を編集収録した写真アルバムが注文により製造されており、これらの記念アルバムは少量製造のため、撮影された写真そのものが使用されている。この場合、写真をアルバム台紙に直接貼着するのではなく、写真を嵌め込む窓部を形成した化粧台紙を支持台紙の表面に貼り付け、該窓部に写真を嵌め込んだ後に全体を透明又は半透明のフィルムで覆うようにしたものである。しかし、普通の写真ではイラストを合成するなど自由にレイアウトすることができないという問題がある。そこで、写真にイラストや文字など合成して自由にレイアウトできるとしてデジタル加工写真の制作方法が考えられている（特開平１０−５８８５９号公報）。
【特許文献１】特開平１０−５８８５９号公報
【考案の開示】
【考案が解決しようとする課題】
【０００３】
しかしながら、上記例ではＡ４サイズの複数枚の台紙を重ねてそれらの背部を一体的に綴じ合わせた台紙帳にデジタル加工写真を貼着しているだけであるため、アルバム自体に趣向性に欠けるという問題がある。
そこで、本考案は、係る問題点を解決すべく、趣向性に富んだデジタル加工写真のアルバムの提供を目的とするものである。
【課題を解決するための手段】
【０００４】
本考案に係るデジタル加工写真アルバムは、Ａ４サイズを縦長方向へ開放させる台紙帳であって、該台紙帳を開放したさいの１頁若しくは隣接する頁の何れか１つの片端を横巾方向へ一定長さ寸法延展した張り出し片に作成し、該台紙の頁内へ或いは隣接する台紙の頁内へ上記張り出し片を折り込ませることにより、１つの頁で片開き或いは観音開き及び又は隣接する頁間で片開き或いは観音開きとなる構成を台紙帳の全体内で適宜混在させるものとなし、且つ各頁及び上記張り出し片にラミネート加工処理を施したデジタル加工写真を貼り付けてある。その際、張り出し片の寸法は、７ｃｍ〜２０ｃｍとなしたりする。
【考案の効果】
【０００５】
本考案は以上の通り構成するものであって、１つの頁で片開き或いは観音開き及び又は隣接する頁間で片開き或いは観音開きとなる構成を設けたことは、片開き或いは観音開きの頁を閉じた状態から開いた状態に展開するという二つの状態をレイアウトに活用することができ、また開いた状態では写真が貼付できる広さが拡大されるので、その広さを利用したレイアウトできるものとなる。さらに、デジタル加工写真を使用することにより、写真にイラストや文字などを合成して自由にレイアウトできる趣向性に富んだデジタル加工写真のアルバムを提供できるものとなる。
【考案を実施するための最良の形態】
【０００６】
以下、図面に示す実施の形態について説明する。
図１は本考案に係るデジタル加工写真アルバムの斜視図である。本考案に係るデジタル加工写真アルバム１は、１つの頁或いは隣接する頁間に観音開きとなる構成を台紙帳の全体に適宜混在させ、各頁にラミネート加工を施したデジタル加工写真を貼り付けたものである。
【０００７】
図２はデジタル加工写真アルバムの頁を開いた状態の説明図で、図３はデジタル加工写真アルバムの他の頁を開いた状態の説明図で、図４は台紙の平面図で、図５は台紙帳の底面図で、図６は１頁に張り出し片を設ける前の状態の台紙帳の部分説明図で、図７は図６の張り出し片を設けた後の状態の台紙帳の部分説明図で、図８は隣接する頁間に張り出し片を設ける前の状態の台紙帳の部分説明図で、図９は図８の張り出し片を設けた後の状態の台紙帳の部分説明図で、図１０は台紙帳と表紙の分解図である。
【０００８】
まず、デジタル加工写真アルバム１の台紙帳４の作成について説明する。台紙帳４はＡ４サイズを縦長方向へ開放させるものであって、図４に示す如く、１頁の大きさは縦巾寸法ｈが２９ｃｍ程度で横巾寸法ｗ１が２１ｃｍ程度であり、２頁分の大きさを有する台紙２を折り目２ａで二つ折りすることにより、二つ折りの台紙２を複数枚用意する。
【０００９】
そして、図５に示す如く、上記二つ折りの台紙２を複数枚を重ね、隣り合う台紙２の裏面を糊で貼り合わせ、それらの背部に製本用テープ３を貼着することにより一体的に綴じ合わせた台紙帳４を形成する。
【００１０】
次に、デジタル加工写真アルバム１の観音開きとなる頁の作成について説明する。図６に示す如く、台紙帳４とは別に、１頁分５ａと該１頁分５ａの縦長方向の１つの片端を横巾寸法ｗ２が７ｃｍ〜１０ｃｍ程度となる長さ寸法を延展した張り出し片５ｂを設けた台紙５を用意し、該台紙５を折り目５ｃで二つ折りする。そして、台紙帳４を開放したさいの１つの頁６の表面に上記台紙５のうち１頁分５ａを重ねて糊で貼り付ける。（図７参照）。その際、張り出し片５ｂが外側に配置するようになし、該張り出し片５ｂを中に折り込ませる。一方、上記１つの頁６の上記張り出し片５ｂを設けた片端とは反対の片端から続く頁を横巾寸法ｗ３が７ｃｍ〜１０ｃｍ程度の大きさになるように切断することにより、１頁の１つの片端を一定長さ寸法を延展した張り出し片７を作成する（図７参照）。このようにすることにより、台紙帳の１つの頁を挟んで観音開きとなる頁を設けることができる（図２参照）。
【００１１】
前記例では１つの頁を挟んで観音開きとなる頁を設けた例を示したが、次に隣接する頁を挟んで観音開きとなる頁を設けた例を示す。図８に示す如く、台紙帳４とは別に、１頁分８ａと該１頁分８ａの縦長方向の１つの片端を横巾寸法ｗ４が１７ｃｍ〜２０ｃｍ程度となる長さ寸法を延展した張り出し片８ｂを設けた台紙８を２枚用意し、該台紙８を折り目８ｃで二つ折りする。そして、台紙帳４の中の隣接する頁９、１０の表面に上記台紙８のうち頁８ａを重ねて糊で貼り付ける（図９参照）。その際、張り出し片８ｂが外側に配置するようになし、該張り出し片８ｂを中に折り込ませる。このようにすることにより、台紙帳４の隣接する頁を挟んで観音開きとなる頁を設けることができる（図３参照）。
【００１２】
上記例では１頁若しくは隣接する頁間で観音開きとなる構成の例を示したが、１頁の左右の片端のどちらかに張り出し片を設けて片開きとなるに構成することもできる。
【００１３】
次に、図１０に示す如く、台紙帳の最初の頁１１と最後の頁１２は見返しとして使用し、該見返しの裏面と表紙体１３の内面を両面接着テープで貼り合わせる。
【００１４】
次にデジタル加工写真について説明する。まず、コンピュータ等で写真にイラスト等を合成したものをプリントアウトしたデジタル加工写真を複数枚作成する。そして、該デジタル加工写真をラミネートする。尚、デジタル加工写真のサイズは台紙帳の各頁の大きさより縦巾寸法及び横巾寸法ともに１ｍｍ〜３ｍｍ程度小さいものとなっている。
【００１５】
次に上記ラミネート加工処理が施されたデジタル加工写真１４を前記台紙帳４に糊で貼り付ける（図２及び図３参照）。これにより図１に示す如くデジタル加工写真アルバムが完成する。
【図面の簡単な説明】
【００１６】
【図１】本考案に係るデジタル加工写真アルバムの斜視図である。
【図２】デジタル加工写真アルバムの頁を開いた状態の説明図である。
【図３】デジタル加工写真アルバムの他の頁を開いた状態の説明図である。
【図４】台紙の平面図である。
【図５】台紙帳の底面図である。
【図６】１頁に張り出し片を設ける前の状態の台紙帳の部分説明図である。
【図７】図６の張り出し片を設けた後の状態の台紙帳の部分説明図である。
【図８】隣接する頁間に張り出し片を設ける前の状態の台紙帳の部分説明図である。
【図９】図８の張り出し片を設けた後の状態の台紙帳の部分説明図である。
【図１０】台紙帳と表紙の分解図である。
【符号の説明】
【００１７】
１    デジタル加工写真アルバム
２    台紙
３    製本テープ
４    台紙帳
５    台紙
５ａ  １頁分
５ｂ  張り出し片
５ｃ  折り目
６    １頁
７    張り出し片
８    台紙
８ａ  １頁分
８ｂ  張り出し片
８ｃ  折り目
９    隣接する頁の１頁
１０  隣接する頁の１頁
１１  台紙帳の最初の頁
１２  台紙帳の最後の頁
１３  表紙体
１４  ラミネート加工が施されたデジタル加工写真
【図１】
0003103900.tif 000003
【図２】
0003103900.tif 000004
【図３】
0003103900.tif 000005
【図４】
0003103900.tif 000006
【図５】
0003103900.tif 000007
【図６】
0003103900.tif 000008
【図７】
0003103900.tif 000009
【図８】
0003103900.tif 000010
【図９】
0003103900.tif 000011
【図１０】
0003103900.tif 000012
【手続補正書】
【提出日】平成16年3月10日(2004.3.10)
【手続補正１】
【補正対象書類名】明細書
【補正対象項目名】０００５
【補正方法】変更
【補正の内容】
【０００５】
本考案は以上の通り構成するものであって、１つの頁で片開き或いは観音開き及び又は隣接する頁間で片開き或いは観音開きとなる構成を設けたことは、片開き或いは観音開きの頁を閉じた状態から開いた状態に展開するという二つの状態をレイアウトに活用することができ、また開いた状態では写真が貼付できる広さが拡大されるので、その広さを利用したレイアウトできるものとなる。さらに、デジタル加工写真を使用することにより、写真にイラストや文字などを合成して自由にレイアウトできる趣向性に富んだデジタル加工写真のアルバムを提供できるものとなる。また本考案品はデスク上や飾り棚などへ、屏風の如く内部を開放した状態に、そのまま飾ることができる。
【手続補正２】
【補正対象書類名】明細書
【補正対象項目名】００１４
【補正方法】変更
【補正の内容】
【００１４】
次にデジタル加工写真について説明する。まず、コンピュータ等で写真にイラスト等を合成したものをプリントアウトしたデジタル加工写真を複数枚作成する。そして、該デジタル加工写真をラミネートする。尚、デジタル加工写真のサイズは台紙帳の各頁の大きさより縦巾寸法及び横巾寸法ともに０ｍｍ〜３ｍｍ程度小さいものとなっている。